(57)【要約】【課題】  サイドロック部が簡単に外れないようにすることによりテープカセットを確実に保護する。【解決手段】  収納部１１の周壁に沿って併設された第１突起部３４と、第１突起部３４から蓋部１２の外壁の厚さよりも僅かに大きい距離を離して第１突起部３４に対向配置された第２突起部３５とからなる外壁保持部３３を備え、蓋部１２が収納部１１に閉じられていて、サイドロック部１４が係止されている際に、収納部１１及び蓋部１２に衝撃が与えられたときに、外壁保持部３３が、蓋部１２の外壁２６の変位を阻止してサイドロック部１４の係止解除を防止する。【選択図】  図１
2006001594.tif 000002
【特許請求の範囲】
【請求項１】
テープカセットを収納する周壁を有する収納部と、前記収納部を囲む外壁を有する蓋部と、前記収納部及び前記蓋部を開閉可能にヒンジ連結された連結板と、前記蓋部の前記外壁の外側面に形成された係合部と、前記収納部の前記周壁の一部にヒンジ連結され、回動に伴い前記係合部に係止されるサイドロック部とを備えたテープカセット収納ケースであって、
前記収納部の周壁に沿って併設された第１突起部と、該第１突起部から前記蓋部の前記外壁の厚さよりも僅かに大きい距離を離して前記第１突起部に対向配置された第２突起部とからなる外壁保持部を備えたことを特徴とするテープカセット収容ケース。
【請求項２】
前記外壁保持部が、前記収納部における前記周壁の、少なくとも前記サイドロック部周辺に形成され、前記サイドロック部が閉じた状態で該サイドロック部と当接することを特徴とする請求項１記載のテープカセット収容ケース。
【発明の詳細な説明】
【技術分野】
【０００１】
本発明は、本発明はテープカセット収納ケースに関し、特に、内部に収納したテープカセットを落下等の衝撃から確実に保護する技術に関する。
【背景技術】
【０００２】
例えば、放送局などで用いる放送機材のうち、最近の録画取材専用テレビカメラは、携帯性の良好な小型デジタルビデオカメラが使用されるようになってきている。このカメラは小型であっても、ディジタル信号処理により高画質を得られるため、放送局用カメラマン、録画取材専門家などの業務用機材として多用されている。
このような携帯用デジタルビデオカメラに装填して用いるデジタルビデオカセットは、収録時間の異なる複数種のサイズがあり、それぞれ専用のテープカセット収納ケースに入れられて市販されている。
従来のテープカセット収納ケースの一例として、収納部と、蓋部と、ヒンジ連結部と、サイドロック部とからなるテープカセット収納ケースが知られている（例えば、特許文献１参照）。
【０００３】
図５，図６（ａ）に示すように、特許文献１に開示されたテープカセット収納ケース７０は、ハードタイプのケースであって、四つの側壁７２を有する収納部７１と、三つの側壁７４を有する蓋部７３と、収納部７１の底面板及び蓋部７３の天面板７５とを接続し、蓋部７３を閉じた状態で蓋部７３の一側壁になるヒンジ連結部７６とからなる。
テープカセット収納ケース７０には、収納部７１においてヒンジ連結部７６とは反対の正面側に、サイドロック部７７がヒンジ連結されている。サイドロック部７７は、収納部７１の側壁７２の外側に蓋部７３の側壁７４が重ね合わされて閉じられた際に、蓋部７３の側壁７４の外表面に形成された係止部７８に係止されてロックされる。
【特許文献１】特開２００２−１７９１７６号公報
【発明の開示】
【発明が解決しようとする課題】
【０００４】
テープカセットの保管時に用いられるハードケースには、使用者が誤ってケースを落下させても、内部に収納されているテープカセットを保護する耐衝撃性が要求される。耐衝撃性の向上には、衝撃エネルギーの吸収もしくは衝撃エネルギーに耐えられるテープカセット及びケースを用いることが必要である。しかし、テープカセット構造の強度向上には設計上の制約があるため、テープカセットの構造を変えることなく、ケース自体が衝撃エネルギーを吸収してカセットを保護するのが望ましい。
ところが、上記特許文献１では、収納部７１の側壁７２の外側に蓋部７３の側壁７４が重ね合わされて閉じられてから、サイドロック部７７が係止部７８に係止されてロックされている状態において、使用者が誤ってケースを落下させることによりケースが開いてしまう場合がある。つまり、収納部７１の角部分が床等に衝突した場合や、搬送中に収納部７１の角部分が壁等に衝突した場合に、図６（ｂ）に示すように、その際の衝撃力により、収納部７１において、その底板７９が曲がるように変形される。すると、収納部７１の側壁７２が傾斜し、蓋部７３の側壁７４がヒンジ連結部７６側に変位したものとなって、係止部７８がサイドロック部７７から外れてしまう。その結果、テープカセット収容ケース７０が開いて、収容されているテープカセットが放出されてテープカセットを損傷してしまう虞が生じる。
【０００５】
本発明は、上述した事情に鑑みてなされたものであり、その目的は、サイドロック部が簡単に外れないようにすることによりテープカセットを確実に保護することができるテープカセット収納ケースを提供することにある。
【課題を解決するための手段】
【０００６】
上記目的は下記構成のテープカセット収納ケースにより達成される。
（１）  テープカセットを収納する周壁を有する収納部と、前記収納部を囲む外壁を有する蓋部と、前記収納部及び前記蓋部を開閉可能にヒンジ連結された連結板と、前記蓋部の前記外壁の外側面に形成された係合部と、前記収納部の前記周壁の一部にヒンジ連結され、回動に伴い前記係合部に係止されるサイドロック部とを備えたテープカセット収納ケースであって、前記収納部の周壁に沿って併設された第１突起部と、該第１突起部から前記蓋部の前記外壁の厚さよりも僅かに大きい距離を離して前記第１突起部に対向配置された第２突起部とからなる外壁保持部を備えたことを特徴とするテープカセット用収容ケース。
【０００７】
このように構成されたテープカセット収納ケースにおいては、蓋部が収納部に閉じられると、蓋部の外壁が外壁保持部の第１突起部と第２突起部との間に狭持される。そして、収納部及び蓋部に衝撃が与えられた際に、第１突起部が、外壁の連結板側への変位を阻止し、第２突起部が、外壁の連結板側とは反対側への変位を阻止する。従って、第１，第２突起部によって、係合部がサイドロック部から外れないようにすることができる。これにより、蓋部が収納部に閉じられて、サイドロック部が係合部に係止されている状態で、ケースを落下させること等により収納部の角部分が床等に衝突したり、搬送中に収納部の角部分が壁等に衝突したりして、収納部及び蓋部に衝撃が与えられたとしても、外壁保持部が、蓋部の外壁の変位を阻止することにより、係合部がサイドロック部から外れる方向に変位させることがなくなる。従って、サイドロック部が不用意には外れないので、テープカセットを確実に保護することができる。
【０００８】
（２）前記外壁保持部が、前記収納部における前記周壁の、少なくとも前記サイドロック部周辺に形成され、前記サイドロック部が閉じた状態で該サイドロック部と当接することを特徴とする（１）記載のテープカセット用収容ケース。
【０００９】
このように構成されたテープカセット収納ケースにおいては、外壁保持部が、収納部における周壁のサイドロック部周辺に形成されれば、係合部に近い位置で外壁の変位を阻止することができるので、サイドロック部を確実に外れ難くすることができる。
【発明の効果】
【００１０】
本発明のテープカセット収納ケースによれば、収納部の周壁に沿って併設された第１突起部と、この第１突起部に対向配置された第２突起部とからなる外壁保持部を備えることで、サイドロック部が不用意に外れなくなり、これにより、サイドロック部が外れ易くなるためにテープカセットを損傷しかねないという問題を解消でき、テープカセットを確実に保護することができる。
【発明を実施するための最良の形態】
【００１１】
以下、本発明に係るテープカセット収納ケースの好適な実施の形態について、図面を参照して詳細に説明する。
図１は本発明に係るテープカセット収納ケースの一実施形態を示す開蓋状態の外観斜視図である。また、図２は図１に示すテープカセット収納ケースの蓋部を収納部に閉じた閉蓋状態での外観斜視図で、図３は図１に示すテープカセット収納ケースのサイドロック部を係止させた状態での正面図で、図４は図３のＡ−Ａ断面図である。以下、図１〜図４を適宜参照して説明する。
【００１２】
図１に示すように、本発明の一実施形態であるテープカセット収納ケース１０は、収納部１１と、蓋部１２と、収納部１１及び蓋部１２にヒンジ連結された連結板１３と、収納部１１の一部にヒンジ連結されたサイドロック部１４とが一体成形により構成されている。テープカセット収納ケース１０は、例えばポリプロピレン（ＰＰ）等の高分子樹脂を素材としている。
【００１３】
収納部１１には、底板１５の外縁部に、周囲の四方を囲んで配された周壁１６，１７，１８，１９が底板１５上に直立して形成されている。周壁１６は収納部１１の前面側に配され、周壁１７は収納部１１の背面側に配され、周壁１８，１９は収納部１１の左・右面側に配されている。周壁１６，１７，１８，１９の中央部には、テープカセット取り出しのため、高さが低くなるように切除された切欠２０，２１，２２，２３がそれぞれ形成されている。
【００１４】
収納部１１には、底板１５の中央部に、一対のリール係止リブ２４，２４が形成されている。リール係止リブ２４，２４は、筒方向にスリットを有する円筒形状に形成されており、テープカセット５０に有する巻取ハブ（不図示）を挿入することにより、テープカセット５０を周壁１６，１７，１８，１９の内側に位置決めする。
【００１５】
収納部１１には、周壁１６の前面の側部に、一対の第１係合部２５，２５が形成されている。第１係合部２５，２５には、蓋部１２が閉じられる際に、蓋部１２に有する外壁２６，２７，２８のうちの連結板１３側とは反対側の外壁２６の内側に形成された一対の係合突部２９，２９が係止される。
【００１６】
そして、収納部１１には、前面の周壁１６と、側面の周壁１８，１９と、が形成する角部３０，３１を含み、これら周壁１６，１８，１９の外側に板形状に突出されたバンパー板部３２上の一部に詳細を後述する外壁保持部３３が形成されている（図１〜４では、外壁保持部３３をサイドロック部１４の周辺に形成した様子を示す）。外壁保持部３３は、周壁１６，１８，１９の周り全体に形成してもよい。
【００１７】
蓋部１２には、天板３７の外縁部に周囲の３方を囲んで配された外壁２６，２７，２８が天板３７上に直立して形成されている。外壁２６は、蓋部１２が収納部１１に閉じられた際に収納部１１の前面に対応して配され、外壁２７，２８は、同様にして収納部１１の左・右面側に対応して配されている。
【００１８】
蓋部１２には、外壁２６の外面の中央部に第２係合部（図２参照）３８が形成されている。
連結板１３は、収納部１１と蓋部１２との端部の間に、湾曲された板形状に形成されており、幅方向の両端部に配置されたヒンジ３９，４０によってヒンジ連結されている。一方のヒンジ３９は、収納部１１の底板１５の端部に繋がれており、他方のヒンジ４０は、蓋部１２の天板３７の端部に繋がれている。
【００１９】
サイドロック部１４は、台形形状の板状に形成されており、収納部１１の前面の周壁１６における中央部の下端部から、ヒンジ４１を介して連結されている。サイドロック部１４の上面には、第２係止部４２が形成されている。サイドロック部１４は、蓋部１２が収納部１１に対して閉じられることにより、第１係合部２５，２５に係合突部２９，２９がそれぞれ係止された後に、ヒンジ４１を介して図１中の上方に向けて回動されることにより、第２係止部４２が、蓋部１２の第２係合部３８に係止ロックされて、所謂、ダブルロック機能をなす。
【００２０】
図２に示すように、使用者によって蓋部１２が収納部１１に閉じられると、収納部１１の周壁１６，１８，１９の周りに蓋部１２の外壁２６，２７，２８が配置され、収納部１１の第１係合部２５，２５に、蓋部１２の係合突部２９，２９がそれぞれ係止される。このとき、外壁保持部３３において、第１，第２突起部３４，３５の間の保持溝３６内に、蓋部１２の外壁２６，２７，２８が挿入される。そして、サイドロック部１４が収納部１１の第２係合部３８に向けて回動され、サイドロック部１４が閉じた状態では、サイドロック部１４と第２突起部３５は互いに当接するようになる。
【００２１】
ここで、本発明の特徴部分である外壁保持部３３について詳細に説明する。
図４に示すように、外壁保持部３３は、前面の周壁１６及び側面の周壁１８，１９に併設された第１突起部３４と、蓋部１２の外壁２６の厚さよりもわずかに大きい距離を置いて第１突起部３４から離れて第１突起部３４に対向配置された第２突起部３５と、第１，第２突起部３４，３５の間に形成された保持溝３６とからなる。第１突起部３４と、第２突起部３５とは、サイドロック部１４が形成されている周壁１６の中央部が高く設定されており、中央部を除いた部分が、前面の周壁１６における切欠２０及び側面の周壁１８，１９における切欠２２，２３よりも低い高さに設定されている。
【００２２】
外壁保持部３３は、蓋部１２が収納部１１に閉じられている際に、第１，第２突起部３４，３５の間の保持溝３６内に、蓋部１２の外壁２６，２７，２８を挿入させることにより、外壁２６，２７，２８のうちの、特に、前面の外壁２６が、連結板１３側、及び連結板１３側とは反対側（収容部側）に曲がって変位しないように保持する。これにより、外壁保持部３３は、蓋部１２が収納部１１に閉じられて、サイドロック部１４が係止ロックされている状態で、誤って落下して収納部１１のバンパー板部３２が床等に衝突したり、搬送中に収納部１１のバンパー板部３２が壁等に衝突したりして、収納部１１及び蓋部１２に衝撃等の外力が負荷されたとしても、蓋部１２の外壁２６の変位を阻止することによって、外壁２６を、サイドロック部１４が外れる方向に変位させない。これにより、サイドロック部１４が簡単に外れないようにして、収納されているテープカセット５０を確実に保護することができる。
【００２３】
つまり、図４に図３のＡ−Ａ断面を示すように、サイドロック部１４の第２係止部４２が収納部１１の第２係合部３８に係止ロックされた状態で、第２係合部３８を有する外壁２６は、外壁保持部３３において、第１，第２突起部３４，３５の間の保持溝３６内に挿入されて狭持されている。そして、この状態で、収納部１１や蓋部１２に衝撃が与えられたとしても、外壁保持部３３によって、外壁２６の変位を阻止することにより、外壁２６が、第２係合部３８をサイドロック部１４の第２係止部４２から外れる方向に変位されないようになる。これにより、収納部１１のバンパー板部３２が床等に衝突したり、搬送中に収納部１１のバンパー板部３２が壁等に衝突したりしたとしても、サイドロック部１４は外れることがない。
【００２４】
以上、前述したテープカセット収納ケース１０によれば、蓋部１２が収納部１１に閉じられて、サイドロック部１４が外壁２６に係止ロックされている状態で、テープカセット収納ケース１０に衝撃が与えられたとしても、外壁保持部３３が蓋部１２の外壁２６の変位を阻止することにより、サイドロック部１４が簡単に外れることが防止される。これにより、テープカセット収納ケース１０内に収納されているテープカセット５０を確実に保護することができる。
【００２５】
また、本テープカセット収納ケース１０の外壁保持部３３が、周壁１６，１８，１９を囲んで周壁１６，１８，１９の周り全体に形成されている場合には、サイドロック部１４を外れ難くするのに加えて、蓋部１２が閉じられている際に、蓋部１２の外壁２６，２７，２８を全体的に保持するので、閉じられている蓋部１２と収納部１１との位置ずれを防止するとともに、蓋部１２と収納部１１との組み合わせ剛性を高めてテープカセット収納ケース１０の全体的な強度の向上を図ることができる。
【００２６】
なお、本発明のテープカセット収納ケース１０は、前述した実施形態に限定されるものではなく、適宜、変形、改良等が可能である。例えば、外壁保持部を形成する第１，第２突起部の厚さは、周壁からバンパー板部の外縁までの間において、可能な限り大きく設定するのが良い。また、第１，第２突起部の高さは、回動する蓋部の外壁に接触しない範囲で高く設定するのが良い。
【図面の簡単な説明】
【００２７】
【図１】本発明に係るテープカセット収納ケースの一実施形態を示す開蓋状態の外観斜視図である。
【図２】図１に示したテープカセット収納ケースの蓋部を収納部に閉じた閉蓋状態での外観斜視図である。
【図３】図１に示したテープカセット収納ケースのサイドロック部を係止させた状態での正面図である。
【図４】図４のＡ−Ａ断面図である。
【図５】従来のテープカセット収納ケースの閉蓋状態を示す外観斜視図である。
【図６】（ａ）は図５のテープカセット収納ケースにおけるサイドロック部分の縦断面図、（ｂ）は（ａ）の状態で衝撃を受けた際の各部材の変形を説明する断面図である。
【符号の説明】
【００２８】
１０  テープカセット収納ケース
１１  収納部
１２  蓋部
１３  連結板
１４  サイドロック部
１６，１７，１８，１９  周壁
２６，２７，２８  外壁
３３  外壁保持部
３４  第１突起部
３５  第２突起部
３８  第２係合部（係合部）
５０  テープカセット
【図１】
2006001594.tif 000003
【図２】
2006001594.tif 000004
【図３】
2006001594.tif 000005
【図４】
2006001594.tif 000006
【図５】
2006001594.tif 000007
【図６】
2006001594.tif 000008